(57)【要約】【課題】  周知の如く、人々の健康、疾病の回復、我国の農業等を考慮した大局的な見地及び／又は地球環境等を念頭においた場合、無農薬栽培(減農薬)は不可欠であり、無農薬の野菜、葉菜、果物、花等の作物が重宝されている。例えば、ハウス栽培における防虫ネットを利用した栽培方法があるが、防虫ネットの汎用性、外気の吸込量の確保、又は温湿度管理等に関する配慮がなく、防虫ネット付きハウスの普及の障害となっている。【構成】  本発明はシャッター枠体に設けたシャッタープレートと、シャッタープレート駆動用の連動板と、シャッタープレート・連動板を動かす風圧又は駆動装置とで構成したハウス用のシャッターと、シャッターに設けた防虫ネットとてなり、この防虫ネットは、シャッターに取付け、取外し可能に設けた枠体と、枠体に張装した目合いが略０．１ｍｍ〜０．６ｍｍ程度のネットとで構成する。【選択図】          図５−２
2006057345.tif 000002
【特許請求の範囲】
【請求項１】
シャッター枠体と、このシャッター枠体に設けたシャッタープレートと、このシャッタープレートを動かす連動板と、このシャッタープレート及び／又は連動板を動かす自動又は駆動手段とで構成したハウスに設けたシャッターに取付け、取外し可能に設けた防虫ネットであって、
この防虫ネットは、シャッターに設けた枠体と、この枠体に張装される目合いが略０．１ｍｍ〜０．６ｍｍ程度としたネットとで構成し、このシャッター及び／又は防虫ネットを経由し、外気の吸込み及び／又は内気の排出可能としたハウスのシャッターに取付ける防虫ネット。
【請求項２】
請求項１に記載の防虫ネットを、前記シャッターの一方側及び／又は他方側に設けた構成としたハウスのシャッターに取付ける防虫ネット。
【請求項３】
請求項１に記載の防虫ネットの枠体を、前駆シャッター枠体に取付けたネット取付手段を備えた枠部と、この枠部に設けた線材とで構成したハウスのシャッターに取付ける防虫ネット。
【請求項４】
請求項１に記載の防虫ネットを、開閉自在の構成にしたハウスのシャッターに取付ける防虫ネット。
【請求項５】
請求項１に記載のシャッターを、吸込み構造のシャッターにしたハウスのシャッターに取付ける防虫ネット。
【請求項６】
請求項１に記載のシャッターを、排気構造のシャッターにしたハウスのシャッターに取付ける防虫ネット。
【発明の詳細な説明】
【技術分野】
【０００１】
本発明は、ハウス(温室)のシャッターに取付ける防虫ネットに関する。
【背景技術】
【０００２】
近時、無農薬栽培(減農薬を含む)による野菜、葉菜、果物、花等の作物が重宝されている。そして、この無農薬栽培は、人々の健康、疾病の回復に有益であること、或は我国の農業等を考慮した大局的な見地、さらには地球環境等を念頭におくべき状況であること等を考慮した場合においては必要不可欠である。
【０００３】
このような見地から、現実性があり、また農業経営に有効である方法としては、ハウス栽培においても、防虫ネットを利用した栽培方法がある。そして、この種の防虫ネットを利用した栽培方法が主流に成りつつある。しかしながら、従来の装置の有効利用と、経済性の確保及び／又は廃材の減少化を達成し、また外気の吸込量・内気の排気量の確保、温湿度管理の確保、或はハウスの耕作面積(作地面積)の減少等の防止を達成することに関しての配慮(工夫)がなく、この防虫ネット付きハウスの普及に障害となっているものと考えられる。
【０００４】
そして、従来の装置の有効利用と、設備投資・商品コスト等の経済性の確保及び／又は施設廃材の減少化を達成するには、既存の設備(シャッター、換気扇、撹拌扇等の施設)の活用と、これらの設備に簡易に取付け得る防虫ネットの開発が必要であるが、現状では満足できる構造はなかった。
【０００５】
尚、従来の防虫ネットの主体となるネットの目合い(ネットの目合いとする)は、前記外気の吸込量及び／又は内気の排気量の確保(外気の吸込量とする)、又は温湿度管理、作物の生育、またネットの張装面積の確保等とは緊密な関係を有する。例えば、ネットの目合いが１．０ｍｍ程度では、通常のネット構造及び／又は取付け構成を採用しても、前記外気の吸込量の確保、又は温湿度管理の適正化が図れるが、この目合いでは小さい虫が侵入し、食害が発生して望ましくない。またネットの目合いが略０．１ｍｍ〜０．６ｍｍ程度では、通常のネット構造及び／又は取付け構成を採用したと仮定した場合は、この目合いから侵入する小さい虫の侵入は防止できる(現状では、小さい虫の侵入は防止し、略１００％の食害が防止できると考えられる)。しかし、前記外気の吸込量の確保、又は温湿度管理の適正化が図れない(一般的には、７月〜８月において、外気に比し、略２℃〜５℃程度の温度及び／又は略２％〜３％の相対湿度の上昇が考えられる)という現実の問題がある。そして、この略２℃〜５℃程度の温度上昇による弊害は、通常２５〜３０℃等の高温時に発生し易い。
【０００６】
尚、このネットの目合いが略０．１ｍｍ〜０．６ｍｍ程度で、前記外気の吸込量の確保、又は温湿度管理の適正化を図ると仮定した場合は、このネットの張装面積を広くすることで達成可能である。しかし、このネットの張装面積の確保(大小)は、ハウスの耕作面積の広狭に直接影響する。例えば、ネットの張装面積が増えることは、ハウスの畝及び／又は作物を覆うような状態となり、収穫量の減少、またハウスの内壁近傍を移動する人・機材の移動に邪魔となり易いこと等が考えられる。
【０００７】
そして、防虫ネットと換気扇との組合せの発明は数件散見されるが、本発明と幾分関連性があり、改良点が列挙されている文献を説明する。文献(１)は、特開平９−２０６５２２号の「フィルター構造とそのフィルター形成方法」であり、この発明は、金属フィルターに繊維ウェブシートを着脱可能に止着することを意図し、表裏両面に雄型の係合子を備えた小片の面ファスナーの表面側係合子を繊維ウェブシート裏面側に係合させて繊維ウェブシートに止着(取付け、取外す)し、雄型面ファスナーの裏面側係合子を金属フィルターの開孔内に挿通させて開孔裏面側の反りエッジに係止させる構成であり、平面的な繊維ウェブシート(フィルター保護膜)の簡易な取付け、取外しに関する。また文献(２)は、特開平６−２４９４７９号の「換気扇あるいはレンジフードへのフィルター装着方法」であり、この発明は、換気扇、レンジフードへの吸気口に一定の間隔を設けてガイドリングを取付け 、このガイドリングの上部から少なくとも表側全体を覆う難燃処理したフィルターシートを取付け、取外し自在に設けた構成であり、このフィルターシートの簡易な処理に関する。
【０００８】
【特許文献１】特開平９−２０６５２２号
【特許文献２】特開平６−２４９４７９号
【発明の開示】
【発明が解決しようとする課題】
【０００９】
前記文献(１)、(２)は、フィルターの構造に関するものであり、防虫ネットの目合いの問題と、この目会いと関連する外気の吸込量の確保との問題を正面から捉えて、その問題を解決することを意図しない。従って、この文献(１)・(２)の発明を、ハウスの防虫ネットとして採用しても、原則として、利用できないのが現況である。殊に、本発明が意図する防虫ネットの目合いの問題解決と、この目会いと密接に関連する外気の吸込量の問題解決を図るための発明としては採用できない処である。
【００１０】
またこの文献（１）、（２）は、従来の装置(レンジフード等)の有効利用と、設備投資・商品コスト等の経済性の確保及び／又は施設廃材の減少化を達成することに関し、全く開示した箇所はない。従って、この文献（１）、（２）には、この従来の装置の有効利用と、設備投資・商品コスト等を期待することは不可能である。またこの文献（１）、（２）は、既存の設備(シャッター、換気扇、撹拌扇等の施設)の活用と、これらの設備に簡易に取付け得るフィルター(本発明の防虫ネットと同意義)の開発とは云えない構成である。
【００１１】
さらに文献（１）、（２）においては、外気の吸込量の確保に関する構成が開示されていないので、ハウス内の温湿度管理の適正化等に関して問題を残す。この問題とは、例えば、ハウスに於ける７月〜８月において、外気に比し、略２℃〜５℃程度の温度及び／又は略２％〜３％の相対湿度の上昇がある現実の問題に関し、改良がされておらず、結局の処、ハウスにおいて、前記略２℃〜５℃程度の温度上昇による高温時の弊害を解消することができない。このようなことから、この文献(１)・(２)は、本発明が意図するハウスに採用するには多くの問題を残す。
【００１２】
上記に鑑み本発明は、ハウスに防虫ネットを取付ける(装備する)際に、従来の装置の有効利用と、設備投資・商品コスト等の経済性の確保及び／又は施設廃材の減少化とを達成し、設備・価格・装備等の合理化を図ること、又は作業の簡便性と、防虫ネットの使用と、不使用とを簡易に選択できるハウスの防虫ネット付きシャッターを提供すること等を意図する。また本発明は、ネットの目合いが略０．１ｍｍ〜０．６ｍｍ程度にし、この寸法の目合いで小さい虫の侵入防止を図り、かつ防虫ネットの張装面積を確保することで、例えば、外気の吸込量の確保、又は温湿度管理の適正化を図り、現実に即したハウスの防虫ネット付きシャッターを提供する。またこの目合いで、かつ外気の吸込量の確保、又は温湿度管理の適正化を図ることで、作物の生育を図りつつ、収穫量の拡充が図れるハウスの防虫ネット付きシャッターを提供する。
【課題を解決するための手段】
【００１３】
請求項１の発明は、ハウスに防虫ネットを取付ける際に、従来の装置の有効利用と、設備投資・商品コスト等の経済性の確保及び／又は施設廃材の減少化とを達成し、設備・価格・装備等の合理化を図ること、又は作業の簡便性と、防虫ネットの使用と、不使用とを簡易に選択できるハウスの防虫ネット付きシャッターを提供すること等を意図する。
また請求項１の発明は、ネットの目合いが略０．１ｍｍ〜０．６ｍｍ程度にし、この寸法の目合いで小さい虫の侵入防止を図り、かつ防虫ネットの張装面積を確保することで、例えば、外気の吸込量の確保、又は温湿度管理の適正化を図り、現実に即したハウスの防虫ネット付きシャッターを提供する。またこの目合いで、かつ外気の吸込量の確保、又は温湿度管理の適正化を図ることで、作物の生育を図りつつ、収穫量の拡充が図れるハウスの防虫ネット付きシャッターを提供する。
【００１４】
請求項１は、シャッター枠体と、このシャッター枠体に設けたシャッタープレートと、このシャッタープレートを動かす連動板と、このシャッタープレート及び／又は連動板を動かす自動又は駆動手段とで構成したハウスに設けたシャッターに取付け、取外し可能に設けた防虫ネットであって、
この防虫ネットは、シャッターに設けた枠体と、この枠体に張装される目合いが略０．１ｍｍ〜０．６ｍｍ程度としたネットとで構成し、このシャッター及び／又は防虫ネットを経由し、外気の吸込み及び／又は内気の排出可能としたハウスのシャッターに取付ける防虫ネットである。
【００１５】
請求項２の発明は、請求項１と同じ目的を達成し、シャッターの一方側に設けた(一方側の)防虫ネットからの侵入した虫を、シャッターの他方側に設けた(他方側の)防虫ネットで捕捉し、虫の侵入を略完全に防止し、又はこの侵入した虫を一方側の防虫ネットと他方側の防虫ネットでガードし、この両防虫ネット間で閉じ込め、またこの防虫ネット間で死滅させ得るハウスのシャッターに取付ける防虫ネットを提供する。
【００１６】
請求項２は、請求項１に記載の防虫ネットを、前記シャッターの一方側及び／又は他方側に設けた構成としたハウスのシャッターに取付ける防虫ネットである。
【００１７】
請求項３の発明は、請求項１と同じ目的を達成し、この目的を達成するのに最適なハウスのシャッターに取付ける防虫ネットを提供する。
請求項３の発明は、防虫ネットが、吸込時及び／又は吸込停止時・排気時及び／又は排気停止時の何れにおいても定形性を維持できる構成とすることを意図する。
【００１８】
請求項３は、請求項１に記載の防虫ネットの枠体を、前記シャッター枠体に取付けたネット取付手段を備えた枠部と、この枠部に設けた線材とで構成したハウスのシャッターに取付ける防虫ネットである。
【００１９】
請求項４の発明は、請求項１と同じ目的を達成し、この目的を達成するのに最適なハウスのシャッターに取付ける防虫ネットを提供する。
【００２０】
請求項４は、請求項１に記載の防虫ネットを、開閉自在の構成にしたハウスのシャッターに取付ける防虫ネットである。
【００２１】
請求項５の発明は、請求項１と同じ目的を達成し、外気の吸込量を容易に確保すること、又は温湿度管理の適正化を図ることで、作物の一層の生育を図りつつ、さらに高品質で、かつ収穫量の拡充が図れるハウスのシャッターに取付ける防虫ネッを提供する。
【００２２】
請求項５は、請求項１に記載のシャッターを、吸込み構造のシャッターにしたハウスのシャッターに取付ける防虫ネットである。
【００２３】
請求項６の発明は、請求項１と同じ目的を達成し、この目的を達成するのに最適なハウスの排気側に取付け得る構成のハウスのシャッターに取付ける防虫ネットを提供する。
【００２４】
請求項６は、請求項１に記載のシャッターを、排気構造のシャッターにしたハウスのシャッターに取付ける防虫ネットである。
【発明の効果】
【００２５】
請求項１の発明は、シャッター枠体と、シャッター枠体に設けたシャッタープレートと、シャッタープレートを動かす連動板と、シャッタープレート及び／又は連動板を動かす自動又は駆動手段とで構成したハウスに設けたシャッターに取付け、取外し可能に設けた防虫ネットであって、
防虫ネットは、シャッターに設けた枠体と、枠体に張装される目合いが略０．１ｍｍ〜０．６ｍｍ程度としたネットとで構成し、シャッター及び／又は防虫ネットを経由し、外気の吸込み及び／又は内気の排出可能としたハウスのシャッターに取付ける防虫ネットである。
【００２６】
従って、請求項１は、ハウスに防虫ネットを取付ける際に、従来の装置の有効利用と、設備投資・商品コスト等の経済性の確保及び／又は施設廃材の減少化とを達成し、設備・価格・装備等の合理化が図れること、又は作業の簡便性と、防虫ネットの使用と、不使用とを簡易に選択できるハウスの防虫ネット付きシャッターを提供できること等の特徴がある。また請求項１は、ネットの目合いが略０．１ｍｍ〜０．６ｍｍ程度にし、この寸法の目合いで小さい虫の侵入防止を図り、かつ防虫ネットの張装面積を確保できるので、例えば、外気の吸込量の確保、又は温湿度管理の適正化を図り、現実に即したハウスの防虫ネット付きシャッターを提供できる。またこの目合いで、かつ外気の吸込量の確保、又は温湿度管理の適正化を図ることで、作物の生育を図りつつ、収穫量の拡充が図れるハウスの防虫ネット付きシャッターを提供できる。
【００２７】
請求項２の発明は、請求項１に記載の防虫ネットを、シャッターの一方側及び／又は他方側に設けた構成としたハウスのシャッターに取付ける防虫ネットである。
【００２８】
従って、請求項２は、請求項１と同じ目的を達成できること、また一方側の防虫ネットから侵入した虫を他方側の防虫ネットで捕捉し、虫の侵入を略完全に防止し、又はこの侵入した虫を一方側の防虫ネットと他方側の防虫ネットでガードし、この各防虫ネット間で閉じ込め、またこの防虫ネット間で死滅させ得るハウスのシャッターに取付ける防虫ネットを提供できること等の特徴がある。
【００２９】
請求項３の発明は、請求項１に記載の防虫ネットの枠体を、シャッター枠体に取付けたネット取付手段を備えた枠部と、枠部に設けた線材とで構成したハウスのシャッターに取付ける防虫ネットである。
【００３０】
従って、請求項３は、請求項１と同じ目的を達成し、この目的を達成するのに最適なハウスのシャッターに取付ける防虫ネットを提供できる。また請求項３は、防虫ネットが、吸込時及び／又は吸込停止時・排気時及び／又は排気停止時の何れにおいても定形性を維持できる構成を提案できる特徴がある。
【００３１】
請求項４の発明は、請求項１に記載の防虫ネットを、開閉自在の構成にしたハウスのシャッターに取付ける防虫ネットである。
【００３２】
従って、請求項４は、請求項１と同じ目的を達成し、この目的を達成するのに最適なハウスのシャッターに取付ける防虫ネットを提供できる。
【００３３】
請求項５の発明は、請求項１に記載のシャッターを、吸込み構造のシャッターにしたハウスのシャッターに取付ける防虫ネットである。
【００３４】
従って、請求項５は、請求項１と同じ目的を達成し、外気の吸込量を容易に確保すること、又は温湿度管理の適正化が図れることで、作物の一層の生育を図りつつ、さらに高品質で、かつ収穫量の拡充が図れるハウスのシャッターに取付ける防虫ネッを提供できる。
【００３５】
請求項６の発明は、請求項１に記載のシャッターを、排気構造のシャッターにしたハウスのシャッターに取付ける防虫ネットである。
【００３６】
従って、請求項６は、請求項１と同じ目的を達成し、この目的を達成するのに最適なハウスの排気側に取付け得る構成のハウスのシャッターに取付ける防虫ネットを提供できる。
【発明を実施するための最良の形態】
【００３７】
本発明はハウス(温室)の一方側(吸込側)の壁面に設けたシャッターに、簡易、迅速かつ確実に取付けできる防虫ネットに関する。図１は本発明のハウスの一方側(他方側)に防虫ネット付きシャッターを付設したハウスの全体を示す縮尺模式図、図２−１は防虫ネットをシャッターの一方側(ハウス外側)取付けた例を示した側面図、図２−２は防虫ネットをシャッターの他方側(ハウス内側)に取付けた例を示した側面図、図２−３は防虫ネットをシャッターの内外側(ハウス内外側)に取付けた例を示した側面図、また図３は前記各例の防虫ネットを取付けできる排気式のシャッターの側面図、また図４は前記各例の防虫ネットを取付けできる吸込み式のシャッターの側面図、図５−１は排気式のシャッターの一方側(ハウス外側)に防虫ネットを取付けた背面図、図５−２は図５−１に示したシャッターと防虫ネットの側面図、図５−３は図５−１に示したシャッターに取付けた防虫ネットの正面図、図５−４は図５−１に示したシャッターに取付けた防虫ネットの平面図、図５−５は図５−１に示した排気式のシャッターの一方側に他の構造の防虫ネットを取付け平面図、図６−１は吸込み式のシャッターの他方側(ハウス内側)に防虫ネットを取付けた背面図、図６−２は図６−１に示したシャッターと防虫ネットの側面図、図７はシャッター(ハウス)の内外側に取付け可能な防虫ネットの斜視図、図８はシャッター(ハウス)の内外側に取付け可能な防虫ネットの斜視図、図９−１はシャッター(ハウス)の内外側に取付け可能な他の防虫ネットの斜視図、図９−２は図９−１に示した防虫ネットの分解斜視図、図９−３は図９−１に示した枠部と線材等の斜視図である。
【００３８】
続いて、前記各例の防虫ネットを取付けできる排気式・吸込み式のシャッターの基本的な構成を説明する。図３に示した排気式のシャッター１は、図１、図２-1〜図２−３に示したビニールハウス、ガラスハウス等のハウス２(温室)の長手方向２ａの一方側２００(一例であり限定されず天井面、側面等の一方側を含む。以下同じ)に付設されている(設けられている)。このシャッター１は、シャッター枠体１００と、このシャッター枠体１００に可動自在に設けた複数枚のシャッタープレート１０１(シャッタープレート１０１とする)と、このシャッタープレート１０１を連動する連動板(図示せず)と、シャッター枠体１００の周辺に設けたビニール等の取付手段１０２と、前記シャッタープレート１０１の開閉を司る排気用の羽根車１０３と、ベルマウス(羽根車ガード)１０４と、前記羽根車１０３を駆動する駆動手段１０５とで構成される。従って、駆動手段１０５により羽根車１０３が回転することで、この羽根車１０３で生成される風(内気の排出)によりシャッタープレート１０１は開放される。また逆の動作により風が停止されると、シャッタープレート１０１及び／又は連動板の自重、シャッタープレート１０１及び／又は連動板のスプリング、リンク機構等の強制復帰等により閉塞される。また図４に示した吸込み式のシャッター１ａは、図１(共用する)、図２−１〜図２−３に示したビニールハウス、ガラスハウス等のハウス２(温室)の長手方向２ａの一方側２００に付設されている(設けられている)。このシャッター１ａは、シャッター枠体１００ａと、このシャッター枠体１００ａに可動自在に設けた複数枚のシャッタープレート１０１ａ(シャッタープレート１０１ａとする)と、このシャッタープレート１０１ａを連動する連動板１０６ａと、シャッター枠体１００ａの周辺に設けたビニール等の取付手段１０２ａと、前記シャッタープレート１０１ａの開閉及び／又は連動板１０６ａ及び／又はリンク機構１０７ａの移動(可動)を図る駆動手段１０５ａとで構成される。従って、駆動手段１０５ａ及び／又はリンク機構１０７ａにより連動板１０６ａが移動することで、シャッタープレート１０１ａを開放し、また逆の動作により、連動板１０６ａの復帰でシャッタープレート１０１ａを閉塞する構成となっている。尚、前記閉塞はシャッタープレート１０１ａ及び／又は連動板１０６ａの自重、シャッタープレート１０１ａ及び／又は連動板１０６ａのスプリング、リンク機構１０７ａ等の強制復帰等による構成もあり得る。
尚、図示しないがハウス２には、換気扇、又は撹拌扇等の外気吸込み手段又は撹拌手段を取付けることもあり得る。
【００３９】
図中３は防虫ネットで、この防虫ネット３は枠体３００と、この枠体３００に張装したネット３０１とで構成する。そして、この防虫ネット３は、原則として、既設及び／又は新設(工場組立て)の前記シャッター１(１ａ)の一方側(一面側)及び／又は他方側(他面側)に取付け、取外し自在に設けられる。例えば、図２−１はシャッターの１の一方側、例えば、シャッター枠体１００(１００ａ)の一方側に設けた例、また図２−２はシャッターの１の他方側、例えば、シャッター枠体１００(１００ａ)の他方側に設けた例、また図２−３はシャッターの１の一方側・他方側、例えば、シャッター枠体１００(１００ａ)の一方側・他方側(双方側)に設けた例をそれぞれ示している。この枠体３００の好ましい一例は、シャッター枠体１００(１００ａ)に取付け得るネット取付手段３００−２を備えた枠部３００−１と、枠部３００−１に設けた線材３００−３とで構成し、この枠部３００−１をシャッター枠体１００(１００ａ)に螺子止めし、このネット取付手段３００−２でハウス２の壁面等の構成材を取付ける構造として、気密性の確保と、部品点数の省略化、管理の容易化、又は取付け(取外し)の簡便化、コストの低廉化等に役立つ利点がある。
【００４０】
そして、ネット係止手段３００−２と取付手段１０２(１０２ａ)を併用し、かつこのネット係止手段３００−２で、ハウス２の壁面等の構成材用の取付手段１０２(１０２ａ)として利用する構成では、部品点数の省略化、管理の容易化、又は取付け(取外し)の簡便化、コストの低廉化等に役立つ利点がある。
【００４１】
尚、図９−１〜図９−３に示した他の防虫ネットの斜視図では、枠部３００−１、ネット取付手段３００−２と、枠部３００−１又はネット３０１付きの線材３００−３とに分解して示したが、少なくともこれらの物品に分解可能であり、また修理用のパーツとなり得る。またこの図において、枠部３００−１に示した孔３０２は、防虫ネット３の取付け用の孔として利用する。この防虫ネット３では、枠部３００−１又はネット３０１付きの線材３００−３を開閉可能とした構成であり、虫の整理と、清掃の容易化等を意図する。尚、この線材３００−３は、枠部３００−１に設けた蝶番３００−４を利用して開閉自在にすることで、虫の排除と清掃又は窓としての利用に供する。
【００４２】
そして、図２−２に示したシャッター枠体１００(１００ａ)の双方側に、防虫ネット３を設けた例では、虫の侵入を二重で保護し、この虫の侵入を略１００％なくし得ること、又は益虫の逃避を略１００％なくし得ること等の利点がある。また防虫ネット３間で虫の死滅も可能である。また図２−２のハウス２内に設ける例では、ハウス２内の畝(図示せず)を覆うことをなくし、また作物(図示せず)の近傍に至ること等を回避し、例えば、耕作面積の減少を回避すること、作物の一層の生育を図りつつ、さらに高品質で、かつ収穫量の拡充を図ること、又は作業環境の確保(移動、機材の移動・搬送の容易化)を図ること等を意図する。そして、防虫ネット３の張装面積Ａを確保し、ネット３０１の目合いに対応した表面積を確保することで、必要とする吸込み量及び／又は排気量を確保する。
また前記ネット３０１を、防寒シートに変更可能とし、冬季等における寒さ対策と、防温、防音、防犯効果等を達成することも可能である。
図中Ｂは風の流れを示す。
【図面の簡単な説明】
【００４３】
【図１】図１は本発明のハウスの一方側(他方側)に防虫ネット付きシャッターを付設したハウスの全体を示す縮尺模式図
【図２−１】図２−１は防虫ネットをシャッターの一方側(ハウス外側)取付けた例を示した側面図
【図２−２】図２−２は防虫ネットをシャッターの他方側(ハウス内側)に取付けた例を示した側面図
【図２−３】図２−３は防虫ネットをシャッターの内外側(ハウス内外側)に取付けた例を示した側面図
【図３】図３は前記各例の防虫ネットを取付けできる排気式のシャッターの側面図
【図４】図４は前記各例の防虫ネットを取付けできる吸込み式のシャッターの側面図
【図５−１】図５−１は排気式のシャッターの一方側(ハウス外側)に防虫ネットを取付けた背面図
【図５−２】図５−２は図５−１に示したシャッターと防虫ネットの側面図
【図５−３】図５−３は図５−１に示したシャッターに取付けた防虫ネットの正面図
【図５−４】図５−４は図５−１に示したシャッターに取付けた防虫ネットの平面図
【図５−５】図５−５は図５−１に示した排気式のシャッターの一方側に他の構造の防虫ネットを取付け平面図
【図６−１】図６−１は吸込み式のシャッターの他方側(ハウス内側)に防虫ネットを取付けた背面図
【図６−２】図６−２は図６−１に示したシャッターと防虫ネットの側面図
【図７】図７はシャッター(ハウス)の内外側に取付け可能な防虫ネットの斜視図
【図８】図８はシャッター(ハウス)の内外側に取付け可能な防虫ネットの斜視図
【図９−１】図９−１はシャッター(ハウス)の内外側に取付け可能な他の防虫ネットの斜視図
【図９−２】図９−２は図９−１に示した防虫ネットの分解斜視図
【図９−３】図９−３は図９−１に示した枠部と線材等の斜視図
【符号の説明】
【００４４】
１              シャッター
１００          シャッター枠体
１０１          シャッタープレート
１０２          取付手段
１０３          羽根車
１０４          ベルマウス
１０５          駆動手段
１ａ            シャッター
１００ａ        シャッター枠体
１０１ａ        シャッタープレート
１０２ａ        取付手段
１０５ａ        駆動手段
１０６ａ        連動板
１０７ａ        リンク機構
２              ハウス
２ａ            長手方向
２００          ハウスの一方側
３              防虫ネット
３００          枠体
３００−１      枠部
３００−２      ネット取付手段
３００−３      線材
３００−４      蝶番
３０１          ネット
３０２          孔
Ａ              張装面積
Ｂ              風の流れ
【図１】
2006057345.tif 000003
【図２−１】
2006057345.tif 000004
【図２−２】
2006057345.tif 000005
【図２−３】
2006057345.tif 000006
【図３】
2006057345.tif 000007
【図４】
2006057345.tif 000008
【図５−１】
2006057345.tif 000009
【図５−２】
2006057345.tif 000010
【図５−３】
2006057345.tif 000011
【図５−４】
2006057345.tif 000012
【図５−５】
2006057345.tif 000013
【図６−１】
2006057345.tif 000014
【図６−２】
2006057345.tif 000015
【図７】
2006057345.tif 000016
【図８】
2006057345.tif 000017
【図９−１】
2006057345.tif 000018
【図９−２】
2006057345.tif 000019
【図９−３】
2006057345.tif 000020
【手続補正書】
【提出日】平成16年8月26日(2004.8.26)
【手続補正１】
【補正対象書類名】特許請求の範囲
【補正対象項目名】請求項３
【補正方法】変更
【補正の内容】
【請求項３】
請求項１に記載の防虫ネットの枠体を、前記シャッター枠体に取付けたネット取付手段を備えた枠部と、この枠部に設けた線材とで構成したハウスのシャッターに取付ける防虫ネット。
【手続補正２】
【補正対象書類名】明細書
【補正対象項目名】００２１
【補正方法】変更
【補正の内容】
【００２１】
請求項５の発明は、請求項１と同じ目的を達成し、外気の吸込量を容易に確保すること、又は温湿度管理の適正化を図ることで、作物の一層の生育を図りつつ、さらに高品質で、かつ収穫量の拡充が図れるハウスのシャッターに取付ける防虫ネットを提供する。
【手続補正３】
【補正対象書類名】明細書
【補正対象項目名】００３７
【補正方法】変更
【補正の内容】
【００３７】
本発明はハウス(温室)の一方側(吸込側)の壁面に設けたシャッターに、簡易、迅速かつ確実に取付けできる防虫ネットに関する。図１は本発明のハウスの一方側(他方側)に防虫ネット付きシャッターを付設したハウスの全体を示す縮尺模式図、図２−１は防虫ネットをシャッターの一方側(ハウス外側)取付けた例を示した側面図、図２−２は防虫ネットをシャッターの他方側(ハウス内側)に取付けた例を示した側面図、図２−３は防虫ネットをシャッターの内外側(ハウス内外側)に取付けた例を示した側面図、また図３は前記各例の防虫ネットを取付けできる排気式のシャッターの側面図、また図４は前記各例の防虫ネットを取付けできる吸込み式のシャッターの側面図、図５−１は排気式のシャッターの一方側(ハウス外側)に防虫ネットを取付けた背面図、図５−２は図５−１に示したシャッターと防虫ネットの側面図、図５−３は図５−１に示したシャッターに取付けた防虫ネットの正面図、図５−４は図５−１に示したシャッターに取付けた防虫ネットの平面図、図５−５は図５−１に示した排気式のシャッターの一方側に他の構造の防虫ネットを取付け平面図、図６−１は吸込み式のシャッターの他方側(ハウス内側)に防虫ネットを取付けた背面図、図６−２は図６−１に示したシャッターと防虫ネットの側面図、図７はシャッター(ハウス)の内外側に取付け可能な防虫ネットの斜視図、図８はシャッター(ハウス)の内外側に取付け可能な防虫ネットの斜視図、図９−１はシャッター(ハウス)の内外側に取付け可能な他の防虫ネットの斜視図、図９−２は図９−１に示した防虫ネットの開放状態を示す斜視図、図９−３は図９−１に示した枠部と線材等の斜視図である。
【手続補正４】
【補正対象書類名】明細書
【補正対象項目名】００４３
【補正方法】変更
【補正の内容】
【００４３】
【図１】図１は本発明のハウスの一方側(他方側)に防虫ネット付きシャッターを付設したハウスの全体を示す縮尺模式図
【図２−１】図２−１は防虫ネットをシャッターの一方側(ハウス外側)取付けた例を示した側面図
【図２−２】図２−２は防虫ネットをシャッターの他方側(ハウス内側)に取付けた例を示した側面図
【図２−３】図２−３は防虫ネットをシャッターの内外側(ハウス内外側)に取付けた例を示した側面図
【図３】図３は前記各例の防虫ネットを取付けできる排気式のシャッターの側面図
【図４】図４は前記各例の防虫ネットを取付けできる吸込み式のシャッターの側面図
【図５−１】図５−１は排気式のシャッターの一方側(ハウス外側)に防虫ネットを取付けた背面図
【図５−２】図５−２は図５−１に示したシャッターと防虫ネットの側面図
【図５−３】図５−３は図５−１に示したシャッターに取付けた防虫ネットの正面図
【図５−４】図５−４は図５−１に示したシャッターに取付けた防虫ネットの平面図
【図５−５】図５−５は図５−１に示した排気式のシャッターの一方側に他の構造の防虫ネットを取付け平面図
【図６−１】図６−１は吸込み式のシャッターの他方側(ハウス内側)に防虫ネットを取付けた背面図
【図６−２】図６−２は図６−１に示したシャッターと防虫ネットの側面図
【図７】図７はシャッター(ハウス)の内外側に取付け可能な防虫ネットの斜視図
【図８】図８はシャッター(ハウス)の内外側に取付け可能な防虫ネットの斜視図
【図９−１】図９−１はシャッター(ハウス)の内外側に取付け可能な他の防虫ネットの斜視図
【図９−２】図９−２は図９−１に示した防虫ネットの開放状態を示す斜視図
【図９−３】図９−３は図９−１に示した枠部と線材等の斜視図